(57)【特許請求の範囲】
【請求項１】
フイルムを１枚づつ繰り出すフイルム自動給送器において、
左右側板間の定位置に回転自在に支持され、駆動モータにより回転駆動する主動ロールと、
この主動ロールに対して離間自在となるように左右側板に形成した上下方向に長い縦長孔に嵌支され、主動ロールとの接触によって従動回動する従動ロールと、
この従動ロールに対してフィルムの厚さ１枚以上２枚以下の検知隙間を存して従動ロール上に配置された検知コロとよりなり、
前記検知コロは、主動ロールの軸を支点に前後揺動自在に設けられた支持腕の上下方向に長い長孔に嵌支され、この検知コロには従動ロールが押上げられると従動ロールに摺接回転して重送検知部を作動させるように凹状又は凸形の検知作用部を備えており、
前記従動ロールと検知コロの間の検知隙間は、検知コロが主動ロールの軸を支点とする曲率半径に沿う円弧運動で前記支持腕と共に移動することにより調節される構成を含むことを特徴とするフイルム重送検知装置。
【発明の詳細な説明】
【０００１】
【産業上の利用分野】
本発明は、Ｘ線フイルム等を１枚づつ繰り出し給送する装置において、特に給送するフイルムが２枚以上重なって給送、つまり重送された場合に、これを検知する装置に関する。
【０００２】
【従来の技術】
医療用又は工業用等の現像処理機へフイルムを１枚づつ給送するフイルム自動給送機に、フイルムが２枚以上重なって給送されると、その重送を検知して主動ロールの回転を停止させるようにしたフイルム重送検知装置は従来から一般に知られている。
【０００３】
従来の装置は第５図に示すように、主動ロール５０に対して離間自在に支持された従動ロール５１に検知コロ５２を検知コロ隙間Ｓを存して配置されたものであるが、検知コロ５２は、その近くの支持ピン５３を支点に左右に揺動する長方形の検知レバー５４の下端部に支持され、検知片５５は検知コロと支持ピンとほぼ直角方向で遥かに遠い検知レバーの上端に取付けられて、検知コロの動き、（例えば０．１〜０．２ミリメートル）を数十倍（２〜４ミリメートル）に増巾して検知センサー５６に伝えるという構成であった。
【０００４】
【発明が解決しようとする課題】
しかし、上記した従来の装置によれば、検知片を動かすには検知コロの上下方向の動きを数倍〜数十倍に拡大しているため検知片の停止位置は検知コロのわずかの動きで大きく振れることとなり、そのため不正確で検知センサーへの侵入位置も定まり難いし、またフイルムもしくはコロに小さな異物が附着しても検知片が数十倍の動きとなり検知センサー内に侵入して誤停止するという問題点を有していた。
【０００５】
また、検知片を検知センサーに対して調節ねじの送りで距離の調節をしているが、このこと自体は調節可能であるが、これは静止状態の位置を調節したものであり、検知片自身の動きは検知コロと従動ロールの隙間で決るもので、検知コロ隙間は調節できなかった。
【０００６】
本発明は、従来の技術の有するこのような問題点に鑑みてなされたものであり、その目的とするところは、重送により従動ロールが検知コロに接触して検知コロが回転すると、それと一緒に検知作用部を回転させて検知部をダイレクトに作動させることにより、正確で誤動作がなく、而も検知隙間を簡単に微調整することができる信頼性の高いフイルム重送検知装置を提供しようとするものである。
【０００７】
上記目的を達成するために、本発明におけるフィルム重送検出装置は、フイルムを１枚づつ繰り出すフイルム自動給送器において、左右側板間の定位置に回転自在に支持され、駆動モータにより回転駆動する主動ロールと、この主動ロールに対して離間自在となるように左右側板に形成した上下方向に長い縦長孔に嵌支され、主動ロールとの接触によって従動回動する従動ロールと、この従動ロールに対してフィルムの厚さ１枚以上２枚以下の検知隙間を存して従動ロール上に配置された検知コロとよりなり、前記検知コロは、主動ロールの軸を支点に前後揺動自在に設けられた支持腕の上下方向に長い長孔に嵌支され、この検知コロには従動ロールが押上げられると従動ロールに摺接回転して重送検知部を作動させるように凹状又は凸形の検知作用部を備えており、前記従動ロールと検知コロの間の検知隙間は、検知コロが主動ロールの軸を支点とする曲率半径に沿う円弧運動で前記支持腕と共に移動することにより調節される構成を含むことを特徴とする。
【０００９】
【実施例】
実施例について図面を参照して説明する。
【００１０】
フイルム自動給送機は、医療用又は工業用等の処理機へフイルムを１枚づつ給送するもので、図示されていないトレーに収納したフイルムが吸盤により吸着されて主動ロール１と従動ロール２の間に供給されるようになっている。
【００１１】
図１〜３に示すように主動ロール１は、左右の側板３．４間の定位置に回転自在に支持され駆動モータ５により回転駆動される。この主動ロール１に対して従動ロール２は離間自在となるように、左右側板３．４に形成した上下方向に長い縦長孔６に嵌支され、主動ロール１との接触又はギャーの噛合で従動回転するようになす。
【００１２】
検知コロ７は支持腕１０の長孔１０ａに嵌支されるように軸７ａに設けられ、従動ロール２に対してフイルムの厚さ１枚以上２枚以下の隙間Ｓを存して従動ロール２上に配置され、従動ロール２が押上げられて検知コロに接触すると従動ロール２とともに回転する。検知作用部８は図１及び図３においては突起状の検知片として検知コロ７に一体的に取付けられて、検知コロ７の回転で共回動して重送検知部９を侵入することで作動せしめるものである。又図４に示すように検知コロ７の周面の一部を切欠いた凹状に形成してこの凹状部を検知作用部８とする。この検知コロ７は支持腕１０に支持されるようになし、支持腕１０は側板３に添接された状態で主動ロール１の軸１ａを支点に前後揺動自在に設けられる。この支持腕１０の従動ロール支持部に対応する位置に、横長孔１１を設けて従動ロール２の支軸２ａを側板３の縦長孔６と横長孔１１とに嵌支させるようにする。
【００１３】
検知コロ７にはリタンばね１２と牽引ばね１３を附設する。
【００１４】
上記の隙間Ｓは、支持腕１０を調整ねじ１４の操作により広狭自在に調節することができる。調整ねじ１４は、本体側の側板３にブラケット１５を設けてこれに進退移動し得るように螺装しロックナット１６で固定する。調整ねじ１４の先端は、支持腕１０の側縁部に押接するようにする。支持腕１０には、ばね１７を附設する。
【００１５】
【作用】
トレーに収納されたフイルム１枚が吸着盤（何れも図示なし）により吸着されて駆動モータ５により回転している主動ロール１とこの主動ロールに対向して従動回転している従動ロール２の間に給送される。
【００１６】
従動ロール２は、主動ロール１に対し上方へ離間できるように側板３．４の縦長孔６に遊嵌支持されているからフイルムＦが正常に１枚給送されたときは、そのフイルム１枚の厚さｔ（約０．２ミリメートル）相当分につき従動ロール２が主動ロール１から離間するが、ｔ＜Ｓの関係に検知コロ７と従動ロール２の隙間Ｓを設定している為に従動ロールは検知コロ７には接触しない。そのため、フイルムＦはそのまま送り出されて、処理機へ給送される。
【００１７】
フイルムＦが２枚以上異常に重送された時は、フイルム２枚以上の厚さ２ｔ相当分につき従動ロール２が主動ロール１から離間し２ｔ＞Ｓの関係になるため、検知コロ７は従動ロール２に押し上げられる。このため、検知コロ７は従動ロール２に接触するから接触と同時に回転して、検知作用部８が所定角回動し重送検知部９の作動位置へ侵入する。図４における凹状形の検知作用部８の場合は正常時はコロ７と検知センサーが重合しているが重送時コロが回転すると無重合となり、そのときにスイッチオンとなる。
【００１８】
検知作用部８により検知部９が作動すると信号を発信して主動ロール１の回転を停止せしめる。その後は重送したフイルムを手前に引抜いて補正する。
【００１９】
従動ロール２と検知コロ７の間の隙間Ｓを調節するには次のようにする。
【００２０】
図３に示すように、調整ねじ１４を操作して支持腕１０を前方へ押動させる。すると支持腕１０は主動ロール１の軸１ａを支点に図３の矢印イで示すように時計方向へ回動する。この支持腕１０の回動で検知コロ７は従動ロールに対して、主動ロール１の軸１ａを支点に曲率半径Ｒに沿って円弧移動させられるが、従動ロール２は側板３の縦長孔６に嵌支されているため横方向の移動は阻止されているから相対的に検知コロ７は従動ロール２に対して曲率半径Ｒに沿って図３の右方向へずれた位置になるため、従動ロールの半径と曲率半径Ｒの差で隙間Ｓは大きくなる。つまり、調整ねじで支持腕を押した割には隙間Ｓの増加は僅かであり、結果として隙間Ｓの微調整が容易にできるものである。
【００２１】
【発明の効果】
本発明は、上記のように構成されているので、次に記載する効果を有する。
【００２２】
（１）  フイルムの重送により従動ロールが検知コロに接触すると検知コロが回転するのでこの検知コロと一緒に検知片も回転して検知センサーや検知マイクロスイッチ等の検知部へ到達し、主動ロールの回転を瞬時に停止させてフイルムの重送を確実に防ぐことができる。つまり検知コロの動きを従来は上下の動きを検知レバーで増幅拡大して検知片の動きとしているのに対し、本発明は検知コロの上下の動きは検知コロを回転させる役目であり、検知はこの検知コロの回転をそのまま検知作用部の動きとしているため、検知レバー及びこれを含む拡大機構が不要となり、拡大による誤動作及び不正確さを無くすことができる。
【００２３】
（２）  また、小さな異物がフイルムやロール等に附着した場合、従来は小さい動きでも増幅拡大して誤動作等の原因になっていたが、本発明においてはこのような異物による誤動作を無くすことができる。
【００２４】
（３）  従動ロールと検知コロとの間の検知隙間は、検知コロを従動ロールに対して主動ロールの軸を支点とする曲率半径に沿う円弧移動で変化するため、調整ねじによる支持腕の押動操作によって簡単に微調整することができる。
【図面の簡単な説明】
【図１】本発明の実施例を示すフイルム重送検知装置の縦断正面図である。
【図２】図１における平面図である。
【図３】図１におけるＡーＡ線からみた拡大側面図である。
【図４】本発明における他の実施例の側面図である。
【図５】従来の装置の側面図である。
【符号の説明】
１        主動ロール
２        従動ロール
３．４    側板
５        駆動モータ
６        縦長孔
７        検知コロ
８        検知片
９        検知部
１０      支持腕
１１      横長孔
１２      リタンばね
１３．１７  ばね
１４      調整ねじ
１５      ブラケット
１６      ロックナット
Ｓ        隙間
Ｆ        フイルム
ｔ        厚さ
【図１】
0003637499.tif 000002
【図２】
0003637499.tif 000003
【図３】
0003637499.tif 000004
【図４】
0003637499.tif 000005
【図５】
0003637499.tif 000006